(57)【要約】【課題】駆動源と接続される駆動用コネクタを備える構成のダンパ装置において、駆動用コネクタが他の構成部材に干渉することを抑制する。【解決手段】開口部Ｏを有するフレーム２と、開口部Ｏを開閉するバッフル３と、バッフル３の駆動源１３と、駆動源１３が収容されるケース１２と、駆動源１３と接続される駆動用コネクタ２２と、を備え、ケース１２は、駆動用コネクタ２２を配置する駆動用コネクタ配置部２４ａを有し、駆動用コネクタ配置部２４ａは、干渉防止部２５により空間部２４が仕切られて形成されているダンパ装置１。【選択図】図２
2020193744.tif 000002
【特許請求の範囲】
【請求項１】
開口部を有するフレームと、
前記開口部を開閉するバッフルと、
前記バッフルの駆動源と、
前記駆動源が収容されるケースと、
前記駆動源と接続される駆動用コネクタと、
を備え、
前記ケースは、前記駆動用コネクタを配置する駆動用コネクタ配置部を有し、
前記駆動用コネクタ配置部は、干渉防止部により空間部が仕切られて形成されていることを特徴とするダンパ装置。
【請求項２】
請求項１に記載のダンパ装置において、
前記駆動用コネクタ配置部は、前記駆動用コネクタに対応するコネクタの挿し込み方向から見て、前記ケースの外周部から離れた位置に設けられ、
前記干渉防止部は、前記外周部と接続されていることを特徴とするダンパ装置。
【請求項３】
請求項１または２に記載のダンパ装置において、
前記フレームにはヒータが取り付けられ、
前記空間部における前記干渉防止部を挟んで前記駆動用コネクタ配置部と隣接する位置には、前記ヒータと接続されるヒータ用コネクタを配置するヒータ用コネクタ配置部が設けられることを特徴とするダンパ装置。
【請求項４】
請求項３に記載のダンパ装置において、
前記ケースは、前記ヒータ用コネクタ配置部が設けられる貫通孔を有し、
前記干渉防止部は、前記貫通孔の一部を形成していることを特徴とするダンパ装置。
【請求項５】
請求項３または４に記載のダンパ装置において、
前記駆動用コネクタ及び前記ヒータ用コネクタは、対応するコネクタの挿し込み方向が同じであり、
前記駆動用コネクタは、前記ヒータ用コネクタに対して、前記差し込み方向においてずれた位置に配置されていることを特徴とするダンパ装置。
【請求項６】
請求項３から５のいずれか１項に記載のダンパ装置において、
前記駆動用コネクタ及び前記ヒータ用コネクタは、異なる形状をしていることを特徴とするダンパ装置。
【請求項７】
請求項３から６のいずれか１項に記載のダンパ装置において、
前記駆動用コネクタ及び前記ヒータ用コネクタは、対応するコネクタとスナップフィットにより係合し、
前記駆動用コネクタ及び前記ヒータ用コネクタの前記スナップフィットによる係合位置は、異なる側にあることを特徴とするダンパ装置。
【請求項８】
請求項３から７のいずれか１項に記載のダンパ装置において、
前記ケースに対する前記ヒータ用コネクタの位置を位置決めする前記ヒータ用コネクタの位置決め部を備えることを特徴とするダンパ装置。
【請求項９】
請求項８に記載のダンパ装置において、
前記位置決め部は、前記ヒータ用コネクタを３方向から囲んでおり、
前記位置決め部に囲まれた位置であって前記ヒータ用コネクタと隣接する位置に、前記ヒータの配線スペースを有することを特徴とするダンパ装置。
【請求項１０】
請求項８または９に記載のダンパ装置において、
前記位置決め部は、前記フレームに配置されていることを特徴とするダンパ装置。
【発明の詳細な説明】
【技術分野】
【０００１】
本発明は、ダンパ装置に関する。
【背景技術】
【０００２】
従来から、様々なダンパ装置が使用されている。このようなダンパ装置のうち、駆動源用のリード線を該ダンパ装置の外側に排出する構成のダンパ装置がある。例えば、特許文献１には、モータ用リード線を外側に排出する構成のダンパ装置が開示されている。
【先行技術文献】
【特許文献】
【０００３】
【特許文献１】特開２０１５−２１００６８号公報
【発明の概要】
【発明が解決しようとする課題】
【０００４】
一方、モータ用リード線を外側に排出する構成よりも、駆動源と接続される駆動用コネクタを備える構成とした方が便利な場合がある。しかしながら、駆動源と接続される駆動用コネクタを備える構成のダンパ装置においては、駆動用コネクタがダンパ装置における他の構成部材に干渉する場合がある。そこで、本発明は、駆動源と接続される駆動用コネクタを備える構成のダンパ装置において、駆動用コネクタが他の構成部材に干渉することを抑制することを目的とする。
【課題を解決するための手段】
【０００５】
本発明におけるダンパ装置は、開口部を有するフレームと、前記開口部を開閉するバッフルと、前記バッフルの駆動源と、前記駆動源が収容されるケースと、前記駆動源と接続される駆動用コネクタと、を備え、前記ケースは、前記駆動用コネクタを配置する駆動用コネクタ配置部を有し、前記駆動用コネクタ配置部は、干渉防止部により空間部が仕切られて形成されていることを特徴とする。
【０００６】
本態様によれば、駆動用コネクタを配置する駆動用コネクタ配置部が干渉防止部により空間部が仕切られて形成されている。このため、例えば、空間部に他の構成部材が設けられていたとしても、干渉防止部により駆動用コネクタ配置部が仕切られていることで、駆動用コネクタが他の構成部材に干渉することを抑制することができる。
【０００７】
本発明のダンパ装置においては、前記駆動用コネクタ配置部は、前記駆動用コネクタに対応するコネクタの挿し込み方向から見て、前記ケースの外周部から離れた位置に設けられ、前記干渉防止部は、前記外周部と接続されていることが好ましい。干渉防止部が外周部と接続されていることで、該干渉防止部の剛性を高くすることができるためである。
【０００８】
本発明のダンパ装置は、前記フレームにはヒータが取り付けられ、前記空間部における前記干渉防止部を挟んで前記駆動用コネクタ配置部と隣接する位置には、前記ヒータと接続されるヒータ用コネクタを配置するヒータ用コネクタ配置部が設けられることが好ましい。フレームにヒータが取り付けられることで、例えばダンパ装置を低温環境下で使用してもフレームに霜が付くことなどを抑制できるためである。また、空間部における干渉防止部を挟んで駆動用コネクタ配置部と隣接する位置にヒータ用コネクタ配置部が設けられることで、駆動用コネクタとヒータ用コネクタとが干渉することを抑制しつつヒータ用コネクタを効率的に配置できるためである。
【０００９】
本発明のダンパ装置においては、前記ケースは、前記ヒータ用コネクタ配置部が設けられる貫通孔を有し、前記干渉防止部は、前記貫通孔の一部を形成していることが好ましい。貫通孔に挿入されることでヒータ用コネクタを周囲から支えることができるとともに、効率的に干渉防止部を形成できるためである。
【００１０】
本発明のダンパ装置においては、前記駆動用コネクタ及び前記ヒータ用コネクタは、対応するコネクタの挿し込み方向が同じであり、前記駆動用コネクタは、前記ヒータ用コネクタに対して、前記差し込み方向においてずれた位置に配置されていることが好ましい。駆動用コネクタとヒータ用コネクタを差し込み方向においてずらして配置することで、駆動用コネクタ及びヒータ用コネクタにおける、対応するコネクタの抜き挿しが容易になるためである。
【００１１】
本発明のダンパ装置においては、前記駆動用コネクタ及び前記ヒータ用コネクタは、異なる形状をしていることが好ましい。駆動用コネクタ及びヒータ用コネクタにおける、対応するコネクタの挿し間違いを抑制できるためである。
【００１２】
本発明のダンパ装置においては、前記駆動用コネクタ及び前記ヒータ用コネクタは、対応するコネクタとスナップフィットにより係合し、前記駆動用コネクタ及び前記ヒータ用コネクタの前記スナップフィットによる係合位置は、異なる側にあることが好ましい。駆動用コネクタ及びヒータ用コネクタの両方において、対応するコネクタとスナップフィットにより簡単に抜き挿しできるとともに、対応するコネクタの挿し間違いを容易に抑制できるためである。
【００１３】
本発明のダンパ装置は、前記ケースに対する前記ヒータ用コネクタの位置を位置決めする前記ヒータ用コネクタの位置決め部を備えることが好ましい。ヒータ用コネクタの位置決め部を備えることで、ヒータ用コネクタを所望の位置にずれることなく配置できるためである。
【００１４】
本発明のダンパ装置においては、前記位置決め部は、前記ヒータ用コネクタを３方向から囲んでおり、前記位置決め部に囲まれた位置であって前記ヒータ用コネクタと隣接する位置に、前記ヒータの配線スペースを有することが好ましい。位置決め部を頑丈に構成できるとともに、ヒータの配線スペースを有効に作り出せるためである。
【００１５】
本発明のダンパ装置においては、前記位置決め部は、前記フレームに配置されていることが好ましい。ダンパ装置の組み立てが容易になるためである。
【発明の効果】
【００１６】
本発明のダンパ装置は、駆動源と接続される駆動用コネクタを備える構成のダンパ装置において、駆動用コネクタが他の構成部材に干渉することを抑制することができる。
【図面の簡単な説明】
【００１７】
【図１】本発明の一実施例に係るダンパ装置を備える装置の一例を表す概略斜視図である。
【図２】本発明の一実施例に係るダンパ装置を表す概略斜視図である。
【図３】本発明の一実施例に係るダンパ装置を表す概略斜視図であって、図２とは異なる方向から見た図である。
【図４】本発明の一実施例に係るダンパ装置を表す概略斜視図であって、ケース及びフレームを透視して表した透視図である。
【図５】本発明の一実施例に係るダンパ装置をケース及びケースに収容される構成部材を省略して表した概略斜視図である。
【図６】本発明の一実施例に係るダンパ装置をフレーム及びフレームに取り付けられる構成部材を省略して表した概略斜視図である。
【図７】本発明の一実施例に係るダンパ装置を表す概略斜視図であって、ケースを省略して表した図である。
【発明を実施するための形態】
【００１８】
以下に、本発明の一実施例に係るダンパ装置１について説明する。  
最初に、本実施例のダンパ装置１の使用例について説明する。  
図１は、本実施例のダンパ装置１を備える装置の一例である冷蔵庫１０１を表す概略図（一部透視図）である。
【００１９】
（ダンパ装置１の使用例）  
図１で表されるように、本実施例のダンパ装置１は、冷蔵庫１０１などで使用可能である。本実施例のダンパ装置１を備える図１で表される冷蔵庫１０１は、冷蔵室１０２と、冷凍室１０３と、野菜室１０４と、を備えている。冷蔵庫１０１は、冷却器１０５で生成された冷気をダンパ装置１０７（送風機）を開状態にすることで気流ＡＦにして送出し、何れも開閉板を開閉可能な開閉板式のダンパ装置１０９（本実施例のダンパ装置１）、開閉板式のダンパ装置１０６（２つのバッフルを有するダンパ装置）及び開閉板式のダンパ装置１０８（本実施例のダンパ装置１）を介して、冷蔵室１０２、冷凍室１０３及び野菜室１０４に該気流ＡＦを導入可能な構成になっている。
【００２０】
ここで、本実施例の冷蔵庫１０１は、連続使用することなどに伴って冷却器１０５に霜が付着した場合に、該霜を溶解して除去する霜取りモードを実行可能である。該霜取りモードでは、ダンパ装置１０７を閉状態にして気流ＡＦが冷蔵室１０２、冷凍室１０３及び野菜室１０４に流入しないようにして、冷却器１０５周辺を暖気で温める。
【００２１】
本実施例のダンパ装置１を備える装置は、冷蔵庫に限定されない。ただし、本実施例のダンパ装置１は、冷蔵庫において特に好ましく用いることができる。なお、本実施例のダンパ装置１を備える冷蔵庫の構成は図１で表される構成に限定されず、本発明のダンパ装置はダンパ装置１の構成（ダンパ装置１０８および１０９の構成）に限定されない（例えばダンパ装置１０６のように複数のバッフルを有していてもよい）。
【００２２】
（ダンパ装置１の実施例）  
次に、本実施例のダンパ装置１について図２から図７を参照して詳細に説明する。
【００２３】
なお、図１、並びに、図２から図７では、一部、構成部材が省略して表されている場合がある。  
ここで、図２から図７において、方向Ｚは、フレーム２の開口部Ｏの開口方向であり、方向Ｘ及び方向Ｙは、各々が直交し、共に方向Ｚと直交する方向である。
【００２４】
（ダンパ装置１の概要）  
図２及び図５などで表されるように、本実施例のダンパ装置１は、矩形状の開口部Ｏが形成されたフレーム２と、フレーム２の開口部Ｏを開閉するためのバッフル３と、を備えている。また、図４などで表されるように、本実施例のダンパ装置１は、フレーム２に対してＸ方向に隣り合う位置に、バッフル３の駆動源であるステッピングモータ１３などを有する駆動部１０を収容するケース１２を備えている。フレーム２およびケース１２は樹脂製であり、図２及び図３などで表される係合部１１においてスナップフィットにより係合されている。
【００２５】
（フレーム２）  
図２から図５で表されるようにフレーム２は開口部Ｏを有するが、図２から図５は、バッフル３が開口部Ｏを閉じている状態である。図４で表されるようにバッフル３は回動軸３ａを有し、回動軸３ａを基準に回動方向Ｒに回動して開口部Ｏを開閉できる構成になっている。また、図４で表されるように、フレーム２における開口部Ｏの周囲には、ヒータ７が設けられている。そして、ヒータ７には、ヒータ線７ａが接続されている。
【００２６】
また、図５及び図７で表されるように、フレーム２には、ケース１２と接続される側に、ヒータ線７ａを介してヒータ７と接続されるヒータ用コネクタ２０が取り付けられる、ヒータ用コネクタ２０の位置決め部１９が設けられている。なお、図７で表されるように、位置決め部１９には、ヒータ用コネクタ２０及びヒータ線７ａと接続されるヒータ基板２３が収容されている。また、ステッピングモータ１３と接続される駆動用コネクタ２２の面２２ａ、２２ｂ及び２２ｃ（図６参照）と、壁部２１ａ、２１ｂ及び２１ｃにおいて接触する、駆動用コネクタ接触部２１（図５参照）が設けられている。
【００２７】
（ケース１２）  
図４及び図６で表されるように、ケース１２には駆動部１０が収容されている。駆動部１０は、ステッピングモータ１３と、ケース１２の内側においてステッピングモータ１３の回転をバッフル３に伝達するための輪列１４と、を有している。輪列１４は、図６で表されるように、モータピニオン１３ａに噛合する大径歯車を備えた１番車１５と、１番車１５の小径歯車（不図示）に噛合する大径歯車を備えた２番車１６と、２番車１６の小径歯車（不図示）に噛合する大径歯車を備えた駆動歯車１７とを有している。従って、輪列１４において、１番車１５、２番車１６および駆動歯車１７は減速輪列を構成している。また、輪列１４は、駆動歯車１７と噛合して駆動歯車１７に従動する扇形歯車１８を有している。該扇形歯車１８は、輪列１４の最終段に位置する最終歯車（出力歯車）であり、バッフル３の回動軸３ａに連結されている。
【００２８】
また、図２、図３及び図６で表されるように、ケース１２には、平板状の干渉防止部２５により第１空間部２４ａ及び第２空間部２４ｂに区切られた空間部２４が設けられている。そして、第１空間部２４ａには駆動用コネクタ２２が収容され、第２空間部２４ｂにはヒータ用コネクタ２０が収容される。ここで、ヒータ用コネクタ２０は、位置決め部１９が第２空間部２４ｂに挿入されることでケース１２に対して位置決めされつつ配置される。
【００２９】
本実施例においては、空間部２４を干渉防止部２５により区切っている。このため、該干渉防止部２５により、駆動用コネクタ２２とヒータ用コネクタ２０とが干渉することを抑制している。また、本実施例においては、空間部２４は、駆動用コネクタ２２、干渉防止部２５及びヒータ用コネクタ２０により密閉された状態となっている。このため、ケース１２の内部に水などの異物が進入することを好適に抑制できる構成になっている。
【００３０】
ここで、まとめると、本実施例のダンパ装置１は、開口部Ｏを有するフレーム２と、開口部Ｏを開閉するバッフル３と、バッフル３の駆動源であるステッピングモータ１３と、ステッピングモータ１３が収容されるケース１２と、ステッピングモータ１３と接続される駆動用コネクタ２２と、を備えている。そして、ケース１２は、駆動用コネクタ２２を配置する駆動用コネクタ配置部としての第１空間部２４ａを有し、第１空間部２４ａは、干渉防止部２５により空間部２４が仕切られて形成されている。
【００３１】
このように、本実施例のダンパ装置１は、駆動用コネクタ２２を配置する第１空間部２４ａが干渉防止部２５により空間部２４が仕切られて形成されている。このため、本実施例のダンパ装置１は、空間部２４に他の構成部材であるヒータ用コネクタ２０が設けられているものの、干渉防止部２５により第１空間部２４ａが仕切られていることで、駆動用コネクタ２２が他の構成部材であるヒータ用コネクタ２０に干渉することを抑制することができる構成になっている。また、干渉防止部により空間部２４が仕切られていることで、空間部２４を設けることによるケース１２の剛性の低下を抑制することができる。
【００３２】
ここで、図２及び図３などで表されるように、本実施例のダンパ装置１においては、第１空間部２４ａは、駆動用コネクタ２２に対応するコネクタの挿し込み方向である方向Ｘに沿う方向から見て、ケース１２の外周部１２ａから離れた位置に設けられている。そして、図６で表されるように、干渉防止部２５は、外周部１２ａと接続されている。このため、本実施例のダンパ装置１においては、干渉防止部２５が外周部１２ａと接続されていることで、該干渉防止部２５の剛性を高くすることができている。
【００３３】
また、上記のように、本実施例のダンパ装置１は、フレーム２にヒータ７が取り付けられている。そして、図２及び図３などで表されるように、空間部２４における干渉防止部２５を挟んで第１空間部２４ａと隣接する位置には、ヒータ７と接続されるヒータ用コネクタ２０を配置するヒータ用コネクタ配置部としての第２空間部２４ｂが設けられている。
【００３４】
本実施例のダンパ装置１は、フレーム２にヒータ７が取り付けられていることで、ダンパ装置１を冷蔵庫１０１の内部など低温環境下で使用してもフレーム２に霜が付くことを抑制している。また、本実施例のダンパ装置１は、空間部２４における干渉防止部２５を挟んで駆動用コネクタ配置部としての第１空間部２４ａと隣接する位置にヒータ用コネクタ配置部としての第２空間部２４ｂが設けられることで、駆動用コネクタ２２とヒータ用コネクタ２０とが干渉することを抑制しつつヒータ用コネクタ２０を効率的に配置している。
【００３５】
なお、図６で表されるように、第２空間部２４ｂは貫通孔となっている。すなわち、本実施例のダンパ装置１においては、ケース１２は、ヒータ用コネクタ配置部が設けられる貫通孔である第２空間部２４ｂを有していると表現できる。そして、図６で表されるように、干渉防止部２５は、第２空間部２４ｂとしての貫通孔の一部を形成していると表現できる。本実施例のダンパ装置１は、このような構成となっていることで、貫通孔である第２空間部２４ｂに位置決め部１９が挿入されることでヒータ用コネクタ２０を方向Ｙに沿う２方向及び方向Ｚに沿う２方向の合計４方向から支えているとともに、効率的に干渉防止部２５を形成している。
【００３６】
また、本実施例のダンパ装置１においては、駆動用コネクタ２２及びヒータ用コネクタ２０は、対応するコネクタの挿し込み方向が共に方向Ｘに沿う方向となり同じ方向である。そして、図２及び図３などで表されるように、駆動用コネクタ２２は、ヒータ用コネクタ２０に対して、差し込み方向においてずれた位置に配置されている。本実施例のダンパ装置１のように、駆動用コネクタ２２とヒータ用コネクタ２０を差し込み方向においてずらして配置することで、駆動用コネクタ２２及びヒータ用コネクタ２０における、対応するコネクタの抜き挿しが容易になる。
【００３７】
なお、本実施例のダンパ装置１においては、駆動用コネクタ２２及びヒータ用コネクタ２０は、異なる形状をしている。駆動用コネクタ２２及びヒータ用コネクタ２０を異なる形状とすることで、駆動用コネクタ２２及びヒータ用コネクタ２０における、対応するコネクタの挿し間違いを抑制できる。
【００３８】
本実施例のダンパ装置１は、図２で表されるように、駆動用コネクタ２２と、該駆動用コネクタ２２に対応するコネクタと、を係合する係合部２２ｄを備えている。また、本実施例のダンパ装置１は、図２から図４で表されるように、ヒータ用コネクタ２０と、該ヒータ用コネクタ２０に対応するコネクタと、を係合する係合部２０ｄを備えている。そして、係合部２２ｄ及び係合部２０ｄは共にスナップフィットにより係合する構成であり、図２で表されるように係合部２２ｄと係合部２０ｄとは向かい合う位置に配置されている。
【００３９】
すなわち、本実施例のダンパ装置１においては、駆動用コネクタ２２及びヒータ用コネクタ２０は、共に対応するコネクタとスナップフィットにより係合し、駆動用コネクタ２２及びヒータ用コネクタ２０のスナップフィットによる係合位置は、異なる側にある。本実施例のダンパ装置１は、このような構成となっていることで、駆動用コネクタ２２及びヒータ用コネクタ２０の両方において、対応するコネクタとスナップフィットにより簡単に抜き挿しできるとともに、対応するコネクタの挿し間違いを容易に抑制できる。
【００４０】
また、上記のように、本実施例のダンパ装置１は、ケース１２に対するヒータ用コネクタ２０の位置を位置決めするヒータ用コネクタ２０の位置決め部１９を備えている。このため、本実施例のダンパ装置１は、ヒータ用コネクタ２０を所望の位置にずれることなく配置できる。
【００４１】
また、本実施例のダンパ装置１においては、位置決め部１９は、図５などで表されるように、ヒータ用コネクタ２０を、壁部１９ａ及び１９ｂにより方向Ｚに沿う２方向、壁部１９ｃにより方向Ｙに沿う１方向、の合計３方向から囲んでいる。そして、図７で表されるように、位置決め部１９に囲まれた位置であってヒータ用コネクタ２０と隣接する位置Ｐに、ヒータ７の配線スペースＳを有している。このため、本実施例のダンパ装置１は、位置決め部１９を頑丈に構成できているとともに、ヒータ７の配線スペースＳを有効に作り出している。
【００４２】
また、図５で表されるように、本実施例のダンパ装置１においては、位置決め部１９は、フレーム２に配置されている。位置決め部１９がフレーム２に配置されていることで、ダンパ装置１の組み立てが容易になる。
【００４３】
本発明は、上述の実施例に限られるものではなく、その趣旨を逸脱しない範囲において種々の構成で実現することができる。例えば、発明の概要の欄に記載した各形態中の技術的特徴に対応する実施例中の技術的特徴は、上述の課題の一部又は全部を解決するために、あるいは、上述の効果の一部又は全部を達成するために、適宜、差し替えや、組み合わせを行うことが可能である。  
また、その技術的特徴が本明細書中に必須なものとして説明されていなければ、適宜、削除することが可能である。
【符号の説明】
【００４４】
１…ダンパ装置、２…フレーム、３…バッフル、３ａ…回動軸、７…ヒータ、
７ａ…ヒータ線、１０…駆動部、１１…係合部、１２…ケース、１２ａ…外周部、
１３…ステッピングモータ（駆動源）、１３ａ…モータピニオン、１４…輪列、
１５…１番車、１６…２番車、１７…駆動歯車、１８…扇形歯車、１９…位置決め部、
１９ａ…壁部、１９ｂ…壁部、１９ｃ…壁部、２０…ヒータ用コネクタ、
２０ｄ…係合部、２１…駆動用コネクタ接触部、２１ａ…壁部、２１ｂ…壁部、
２１ｃ…壁部、２２…駆動用コネクタ、２２ａ…面、２２ｂ…面、２２ｃ…面、
２２ｄ…係合部、２３…ヒータ基板、２４…空間部、
２４ａ…第１空間部（駆動用コネクタ配置部）、
２４ｂ…第２空間部（ヒータ用コネクタ配置部、貫通孔）、２５…干渉防止部、
１０１…冷蔵庫、１０２…冷蔵室、１０３…冷凍室、１０４…野菜室、
１０５…冷却器、１０６…ダンパ装置、１０７…ダンパ装置、１０８…ダンパ装置、
１０９…ダンパ装置、ＡＦ…気流、Ｏ…開口部、Ｐ…位置、Ｓ…配線スペース
【図１】
2020193744.tif 000003
【図２】
2020193744.tif 000004
【図３】
2020193744.tif 000005
【図４】
2020193744.tif 000006
【図５】
2020193744.tif 000007
【図６】
2020193744.tif 000008
【図７】
2020193744.tif 000009